【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
レーザシステムであって、
第１のレーザプローブアセンブリと結合するための第１のポートと、
追加のレーザプローブアセンブリと結合するための追加のポートと、
ポートセレクタと、
治療用レーザビームを前記ポートセレクタに向けるように構成される治療用レーザ源であって、前記ポートセレクタは、前記治療用レーザビームを第１のビームスプリッタ及び追加のビームスプリッタに選択的に向けるように構成される、治療用レーザ源と、
エイミングレーザビームを前記第１のビームスプリッタ及び前記第２のビームスプリッタに向けるための少なくとも１つのエイミングレーザ源と、
前記治療用レーザビーム及び前記エイミングレーザビームを受け、且つ前記治療用レーザビーム及び前記エイミングレーザビームからマルチスポットレーザパターンを生成するように構成される回折光学素子（ＤＯＥ）と、
略白色光を発する照明システムと、
前記照明システムから受けられた前記略白色光を照明ビームにコリメートするコリメートレンズと、
集光レンズと、
前記ＤＯＥから前記照明ビーム及び前記マルチスポットレーザパターンを受けるように配置される多重ビームスプリッタであって、前記マルチスポットレーザパターンを前記集光レンズに向けて反射し、且つ照明ビームを前記コリメートレンズから前記集光レンズに向けて透過し、それにより前記マルチスポットレーザパターン及び前記照明ビームを多重化するように構成される多重ビームスプリッタと
を含み、
前記第１のビームスプリッタは、前記治療用レーザビーム及び前記エイミングレーザビームの一部を前記第１のポートに向け、
前記追加のビームスプリッタは、前記治療用レーザビーム及び前記エイミングレーザビームの一部を前記ＤＯＥに向け、
前記集光レンズは、前記照明ビーム及び前記マルチスポットレーザパターンの多重ビームを前記追加のポート内の界面上に集束させる、レーザシステム。
【請求項２】
前記第１のビームスプリッタから前記治療用レーザビーム及び前記エイミングレーザビームを受け、且つ前記治療用レーザビーム及び前記エイミングレーザビームを前記第１のポート及び前記第１のレーザプローブアセンブリの光ファイバとの界面に集束させるように配置される集束レンズを更に含む、請求項１に記載のレーザシステム。
【請求項３】
第１のビーム検出器を更に含み、前記第１のビームスプリッタは、前記治療用レーザビーム及び前記エイミングレーザビームの別の部分を前記第１のビーム検出器に向ける、請求項１に記載のレーザシステム。
【請求項４】
追加のビーム検出器を更に含み、前記多重ビームスプリッタは、前記照明ビームの一部を前記追加のビーム検出器に反射する、請求項３に記載のレーザシステム。
【請求項５】
パワーモニタと、
前記治療用レーザ源から前記治療用レーザを受け、且つ前記治療用レーザの一部を前記パワーモニタに向けるように配置されるビームスプリッタと
を更に含む、請求項１に記載のレーザシステム。
【請求項６】
前記治療用レーザ源からの水平偏光治療用ビームを垂直偏光治療用ビームに変換するように構成される光学素子を更に含む、請求項１に記載のレーザシステム。
【請求項７】
前記治療用レーザ源と前記ポートセレクタとの間に配置されるシャッタであって、前記治療用レーザビームが前記ポートセレクタに到達することを選択的に遮断及び透過するように構成されるシャッタを更に含む、請求項１に記載のレーザシステム。
【請求項８】
前記ＤＯＥは、レーザ光の様々なマルチスポットパターンを生成及び透過するために選択される複数の異なる回折領域を含む、請求項１に記載のレーザシステム。
【請求項９】
前記ＤＯＥは、レーザ光のマルチスポットパターンを作成及び透過するための複数の回折領域を有する可動線形ステージを含む、請求項１に記載のレーザシステム。
【請求項１０】
前記追加のレーザプローブアセンブリは、
前記追加のポートと結合されると、前記集束された多重化マルチスポットレーザパターン及び前記照明ビームが前記マルチコア光ファイバケーブルの近位端上に集束されるように、前記追加のポート内の前記界面と略当接する近位端を有するマルチコア光ファイバケーブルであって、外側コアクラッドによって囲まれる第１の外側コアと、前記外側コア内に含まれる複数の内側コアとを更に含み、前記複数の内側コア内の各内側コアは、内側コアクラッドによって囲まれ、前記外側コアの屈折率は、前記外側コアクラッドの屈折率よりも大きく、前記複数の内側コア内の前記内側コアのそれぞれの屈折率は、前記内側コアクラッドの屈折率よりも大きい、マルチコア光ファイバケーブルと、
前記マルチコア光ファイバケーブルの遠位端と結合されるプローブチップを有するハンドピースであって、前記プローブチップは、前記プローブチップの遠位端に略配置されるレンズを有し、前記マルチコア光ファイバケーブルの前記遠位端は、前記レンズとの界面において終端し、前記レンズは、前記マルチコア光ファイバケーブルの前記遠位端からターゲット面上に前記多重化マルチスポットレーザパターン及び照明ビームの形状寸法を変換する、ハンドピースと
を含む、請求項１に記載のレーザシステム。
【請求項１１】
前記治療用レーザ源と前記ＤＯＥとの間に配置されるビームコンプレッサであって、前記治療用レーザビームを、前記ＤＯＥの属性及び所望のマルチスポットパターンに基づいて選択される直径にコリメートするように構成されるビームコンプレッサを更に含む、請求項１に記載のレーザシステム。
【請求項１２】
レーザシステムであって、
１つ以上の入射レーザビームからマルチスポットレーザパターンを生成するように構成される回折光学素子（ＤＯＥ）と、
治療用レーザビームを前記ＤＯＥに向けるように構成される治療用レーザ源と、
前記治療用レーザ源と前記ＤＯＥとの間に配置される第１のビームスプリッタであって、前記治療用レーザビームを透過し、前記治療用レーザビームが前記ＤＯＥに入射することを可能にする第１のビームスプリッタと、
エイミングレーザビームを前記第１のビームスプリッタに向けるように配置されるエイミングレーザ源であって、前記第１のビームスプリッタは、前記エイミングレーザビームを反射して前記ＤＯＥに入射させ、前記ＤＯＥは、前記治療用レーザビーム及び前記エイミングレーザビームのマルチスポットパターンを生成する、エイミングレーザ源と、
略白色光を発する照明システムと、
前記照明システムから受けられた前記略白色光を照明ビームにコリメートするコリメートレンズと、
集光レンズと、
前記ＤＯＥから前記照明ビーム及び前記マルチスポットレーザパターンを受けるように配置される多重ビームスプリッタであって、前記マルチスポットレーザパターンを前記集光レンズに向けて反射し、且つ照明ビームを前記コリメートレンズから前記集光レンズに向けて透過し、それにより前記マルチスポットレーザパターン及び前記照明ビームを多重化するように構成される多重ビームスプリッタと
を含み、
前記集光レンズは、前記照明ビーム及び前記マルチスポットパターンの多重ビームをポートとの界面上に集束させる、レーザシステム。
【請求項１３】
前記治療用レーザ源からの水平偏光治療用ビームを垂直偏光治療用ビームに変換するように構成される光学素子を更に含む、請求項１２に記載のレーザシステム。
【請求項１４】
前記治療用レーザ源と前記ＤＯＥとの間に配置されるシャッタであって、前記治療用レーザビームが前記ＤＯＥに到達することを選択的に遮断及び透過するように構成されるシャッタを更に含む、請求項１２に記載のレーザシステム。
【請求項１５】
前記治療用レーザ源と前記ＤＯＥとの間に配置されるビームコンプレッサであって、前記治療用レーザビームを、前記ＤＯＥの属性及び所望のマルチスポットパターンに基づいて選択される直径にコリメートするように構成されるビームコンプレッサを更に含む、請求項１２に記載のレーザシステム。